(57)【要約】【課題】  ガス放電ランプの調光制御方法の提供。【解決手段】  本発明はガス放電ランプのガス放電ランプを起動点灯する起動サイクルの後に調光サイクルを提供し、該調光サイクルでは開始設定されるか或いは全開ガス放電ランプの切断状態下で保留された調光値により対応するデューティーパルスを提供し、該調光サイクルによりガス放電ランプが任意の調光値設定状態下で電力供給の起動状態を維持するようにし、本発明の調光サイクルのデューティーパルスが異なる調光値に対応して同じ調光サイクル長さを提供してガス放電ランプが既に起動状態下にあってゆっくりと必要な調光輝度に回復できるようにして最大の調光範囲を具備できるようにする。【選択図】        図３
2006331865.tif 000002
【特許請求の範囲】
【請求項１】
ガス放電ランプの起動点灯の起動サイクル（Ｐ４）を提供するステップ、
該起動サイクル（Ｐ４）の後に続いて調光サイクル（Ｐ１）を提供し、この調光サイクル（Ｐ１）にあって、開始設定された或いは全開ガス放電ランプを切断した状態で保留された調光値により対応するデューティパルス（Ｖ２）を提供するステップ、
を包含するガス放電ランプの調光制御方法において、
該調光サイクル（Ｐ１）では、ガス放電ランプの任意の調光値設定状態下で電力供給の起動状態を維持し、且つ該調光サイクル（Ｐ１）のデューティパルス（Ｖ２）は異なる調光値に対応して等しい調光サイクル（Ｐ１）長さを提供してガス放電ランプが既に起動状態にある時にゆっくりと必要な調光輝度に回復させることができ最大の調光範囲を具備することを特徴とする、ガス放電ランプの調光制御方法。
【請求項２】
請求項１記載のガス放電ランプの調光制御方法において、調光サイクル（Ｐ１）がデューティー時間（Ｔ１）と維持時間（Ｔ２）を包含し、且つ該維持時間（Ｔ２）が維持パルス（Ｖ３）を具備して非零電位状態に維持することを特徴とする、ガス放電ランプの調光制御方法。
【請求項３】
請求項１記載のガス放電ランプの調光制御方法において、維持パルス（Ｖ３）幅はデューティーパルス（Ｖ２）幅と等しいかそれより小さく、且つ維持パルス（Ｖ３）のデューティー周波数はデューティーパルス（Ｖ２）の周波数と異なることを特徴とする、ガス放電ランプの調光制御方法。
【請求項４】
請求項１記載のガス放電ランプの調光制御方法において、起動サイクル（Ｐ４）がガス放電ランプの一次起動状態下で調光サイクル（Ｐ１）の前のみに位置することを特徴とする、ガス放電ランプの調光制御方法。
【発明の詳細な説明】
【技術分野】
【０００１】
本発明はガス放電ランプの調光制御方法に係り、特に、ガス放電ランプに対して異なる調光値設定状態にあって変換を行なう時の調光制御方法に関する。
【背景技術】
【０００２】
冷陰極蛍光ランプ（Ｃｏｌｄ  Ｃａｔｈｏｄｅ  Ｆｌｕｏｒｅｓｃｅｎｔ  Ｌａｍｐ；ＣＣＦＬ）の調光方法は、デューティーサイクル制御（ｄｕｓｔｙ  ｃｙｃｌｅ  ｃｏｎｔｒｏｌ）、周波数制御（ｆｒｅｑｕｅｎｃｙ  ｃｏｎｔｒｏｌ）及びパルス制御（ｖｏｌｔａｇｅ  ｃｏｎｔｒｏｌ）等の方法がある。
【０００３】
特許文献１には一種の高輝度蛍光ランプ駆動装置が記載され、それは高周波振動器、パルス幅変調器、第１、第２パワースイッチ、及び圧電変圧器で構成され、高周波振動器により高周波交流信号を生成し、更にパルス幅変調器を通してＰＷＭ共振周波数信号に変換し、このＰＷＭ共振周波数信号の正半周期と負半周期を利用し二つのパワースイッチを駆動し、更に圧電変圧器の一次コイルの二つの入力端を駆動し、圧電変圧器にＣＣＦＬを駆動するに足るパルスを生成させる。こうして高い変換効率及び高いパルス昇圧比を具えたＣＣＦＬ駆動装置を提供している。簡単に言うと、この周知の特許技術はパルス幅変調の方式を利用し、高周波の定格周波数信号で圧電変圧器を駆動し、不連続導通モードによりパワースイッチを制御する。このような方法は通常肉眼で察知できる周波数（＞１００Ｈｚ）での導通切断より高い周波数で蛍光ランプの平均電流を制御し、且つその周波数は固定されて不変である。
【０００４】
別の一種の重視される方法はデジタル調光（ｄｉｇｉｔａｌ  ｄｉｍｍｉｎｇ）或いはパルス調光（ｂｕｒｓｔ  ｄｉｍｍｉｎｇ）と称される制御方法である。この方法は、ランプ電流を固定された定格値で操作し、更に低周波調光（ＬＦＤ）制御パルスを利用してランプのオン・デューティー／オフ・デューティーサイクル（即ちオン／オフサイクル）を変調し、即ちランプの平均輝度とデューティーサイクルが正比例をなすことから、平均輝度制御の作用を達成する。ただしこの周知の技術の多くは定格周波数方式のハードスタート（ｈａｒｄ−ｓｔａｒｔ）を利用し、図１、２に示されるように、一般に起動パルスの多くはデューティーパルスの２〜４倍であり、オフサイクル（ＯＦＦ）のオフパルスは零電位（又は零電流）とされ、この時、ガス放電ランプは一定電気エネルギーを具備しなければその点灯駆動効果を達成できない。しかしこのような制御方法は調光値が比較的低い設定状態（既存の状態の多くは３０％以下）下で、ガス放電ランプが必要とするデューティーサイクル電気エネルギーが不足してガス放電ランプが局部点灯効果を発生する。これにより、このガス放電ランプを照射光源として利用するディスプレイにあって、輝度不均一或いはちらつきが発生する。このため、現在は、僅かに３０％〜１００％の調光範囲内に制限されて調光値設定が行なえるガス放電ランプが生産されており、もしこの調光範囲より低いと、ガス放電ランプは完全に停止し動作せず、更に低い表示輝度を必要とする特殊な環境（例えば交通工具上の日照を受ける高輝度環境）ではこのような制御方法は適用不能である。当然、この特殊な環境要求を克服するためには、表示輝度不均一或いはちらつきの発生を無視する方法もあるが、駆動電気エネルギーが不足するため、調光サイクルが標準調光範囲に回復する時に、反復してランプを起動及び切断（ＯＦＦ）しなければならず、各起動サイクルでいずれもランプの高起動パルス及び電流サージが形成されうるため、ガス放電ランプの電極に対して相当に不利である。このため、伝統的なデジタル調光方法はランプ寿命に対してマイナスの影響を有する。
【０００５】
【特許文献１】台湾特許第５０４１０１号明細書
【発明の開示】
【発明が解決しようとする課題】
【０００６】
本発明の主要な目的は、上述の従来の技術の欠点を解決し、欠点の存在を無くすことにあり、即ち、本発明はガス放電ランプのガス放電ランプを起動点灯する起動サイクルの後に調光サイクルを提供し、該調光サイクルでは開始設定されるか或いは全開ガス放電ランプの切断状態下で保留された調光値により対応するデューティーパルスを提供し、該調光サイクルによりガス放電ランプが任意の調光値設定状態下で電力供給の起動状態を維持するようにし、本発明の調光サイクルのデューティーパルスが異なる調光値に対応して同じ調光サイクル長さを提供してガス放電ランプが既に起動状態下にあってゆっくりと必要な調光輝度に回復できるようにして最大の調光範囲を具備できるようにする。
【課題を解決するための手段】
【０００７】
請求項１の発明は、
ガス放電ランプの起動点灯の起動サイクル（Ｐ４）を提供するステップ、
該起動サイクル（Ｐ４）の後に続いて調光サイクル（Ｐ１）を提供し、この調光サイクル（Ｐ１）にあって、開始設定された或いは全開ガス放電ランプを切断した状態で保留された調光値により対応するデューティパルス（Ｖ２）を提供するステップ、
を包含するガス放電ランプの調光制御方法において、
該調光サイクル（Ｐ１）では、ガス放電ランプの任意の調光値設定状態下で電力供給の起動状態を維持し、且つ該調光サイクル（Ｐ１）のデューティパルス（Ｖ２）は異なる調光値に対応して等しい調光サイクル（Ｐ１）長さを提供してガス放電ランプが既に起動状態にある時にゆっくりと必要な調光輝度に回復させることができ最大の調光範囲を具備することを特徴とする、ガス放電ランプの調光制御方法としている。
請求項２の発明は、請求項１記載のガス放電ランプの調光制御方法において、調光サイクル（Ｐ１）がデューティー時間（Ｔ１）と維持時間（Ｔ２）を包含し、且つ該維持時間（Ｔ２）が維持パルス（Ｖ３）を具備して非零電位状態に維持することを特徴とする、ガス放電ランプの調光制御方法としている。
請求項３の発明は、請求項１記載のガス放電ランプの調光制御方法において、維持パルス（Ｖ３）幅はデューティーパルス（Ｖ２）幅と等しいかそれより小さく、且つ維持パルス（Ｖ３）のデューティー周波数はデューティーパルス（Ｖ２）の周波数と異なることを特徴とする、ガス放電ランプの調光制御方法としている。
請求項４の発明は、請求項１記載のガス放電ランプの調光制御方法において、起動サイクル（Ｐ４）がガス放電ランプの一次起動状態下で調光サイクル（Ｐ１）の前のみに位置することを特徴とする、ガス放電ランプの調光制御方法としている。
【発明の効果】
【０００８】
本発明は、上述の従来の技術の欠点を解決し、欠点の存在を無くしており、即ち、本発明はガス放電ランプのガス放電ランプを起動点灯する起動サイクルの後に調光サイクルを提供し、該調光サイクルでは開始設定されるか或いは全開ガス放電ランプの切断状態下で保留された調光値により対応するデューティーパルスを提供し、該調光サイクルによりガス放電ランプが任意の調光値設定状態下で電力供給の起動状態を維持するようにし、本発明の調光サイクルのデューティーパルスが異なる調光値に対応して同じ調光サイクル長さを提供してガス放電ランプが既に起動状態下にあってゆっくりと必要な調光輝度に回復できるようにして最大の調光範囲を具備できるようにする。
【発明を実施するための最良の形態】
【０００９】
図３、４は本発明のガス放電ランプの調光サイクルＰ１波形及び調光値設定状態表示図である。図示されるように、本発明はガス放電ランプの調光制御方法を提供し、起動サイクルＰ４と調光サイクルＰ１の組合せ方式を通して制御の目的を達成する。この制御方法は以下のステップを包含する。
【００１０】
ガス放電ランプの起動点灯の起動サイクルＰ４を提供するステップであって、この起動サイクルＰ４はガス放電ランプの一次起動状態下で調光サイクルＰ１の前のみに位置し、且つ該起動サイクルＰ４の起動パルスＶ１はガス放電ランプに一次点灯状態下で必要な電気エネルギーを提供する。
【００１１】
該起動サイクルＰ４の後に続いて調光サイクルＰ１を提供し、該調光サイクルＰ１にあって、開始設定された或いは全開ガス放電ランプを切断した状態で保留された調光値により対応するデューティパルスＶ２を提供し、本発明の該調光サイクルＰ１では、ガス放電ランプの任意の調光値設定状態下において電力供給の起動状態を維持し、且つ該調光サイクルＰ１のデューティパルスＶ２は異なる調光値に対応して等しい調光サイクルＰ１長さを提供し、そのうち、該調光サイクルＰ１はデューティ時間Ｔ１と維持時間Ｔ２を包含し、維持時間Ｔ２は維持パルスＶ３を具備して非零電位状態を維持し、該維持パルスＶ３幅のデューティ周波数はデューティパルスＶ２のデューティ周波数とは異なり、これによりガス放電ランプが起動状態下で必要な調光輝度にゆっくりと回復できる、最大の調光範囲を具備する。
【００１２】
図３は調光値設定状態が５０％調光輝度とされた第１調光サイクルＰ１、１０％調光輝度とされた第２調光サイクルＰ２、３０％調光輝度とされた第３調光サイクルＰ３を示す。図より明らかであるように、ガス放電ランプの調光値設定状態が１０％調光輝度とされる時、各調光サイクルＰ１、Ｐ２、Ｐ３はその調光値設定状態に対応して異なる長さのデューティパルスＶ２を具備する。本発明は第２調光サイクルＰ２中でデューティパルスＶ２と非零電位の維持パルスＶ３を提供し、この組合せ電気エネルギーがガス放電ランプを微暗状態に維持させ非切断状態とし、且つデューティパルスＶ２に間隔式パルス方式駆動を採用（図５では更に維持時間Ｔ２中にデューティパルスＶ２を前のデューティパルスＶ２との間に間隔を有するように加え、この修正状況はガス放電ランプの長さ或いは必要な電気エネルギーにより定められる）し、これにより発光輝度不均一の状況が発生しない。更に図４に示されるように、本発明は比較的低い調光値設定状態に位置させることにより、ガス放電ランプがデューティパルスＶ２及び維持パルスＶ３を具備して電気エネルギー持続導通状態を保持し、これにより、比較的高い調光値設定状態に調整する時、僅かにデューティパルスＶ２を等しい長さ増加すれば、ゆっくりとガス放電ランプが必要とする調光輝度に回復し、こうして多次の起動パルスＶ１が発生する高起動電圧及び高電流サージを免除し、有効にガス放電ランプ及びその前に接続されたインバータの寿命を維持できる。
【００１３】
以上は本発明の好ましい実施例の説明であり、本発明の実施範囲を限定するものではなく、本発明に基づきなしうる細部の修飾或いは改変は、いずれも本発明の請求範囲に属するものとする。
【図面の簡単な説明】
【００１４】
【図１】周知のガス放電ランプ調光サイクル波形図である。
【図２】図１の調光値設定状態表示図である。
【図３】本発明のガス放電ランプ調光サイクル波形図である。
【図４】図３の調光値設定状態表示図である。
【図５】本発明のガス放電ランプの別の実施例の調光サイクル波形図である。
【符号の説明】
【００１５】
Ｐ１〜Ｐ３  調光サイクル
Ｐ４  起動サイクル
Ｔ１  デューティー時間
Ｔ２  維持時間
Ｖ２  デューティパルス
Ｖ３  維持パルス
【図１】
2006331865.tif 000003
【図２】
2006331865.tif 000004
【図３】
2006331865.tif 000005
【図４】
2006331865.tif 000006
【図５】
2006331865.tif 000007